(57)【特許請求の範囲】
【請求項１】
内部に空調手段を設け、前面を開口した本体部と、この本体部の前面開口に備え付ける吸込口と吹出口を有した意匠パネルとからなり、前記意匠パネルには、その裏側に外周よりも内側に一周する当接リブを設けるとともに、この当接リブに意匠パネル取り付け面近傍の空気を吸い込み誘引する開口部を１箇所以上設けたことを特徴とする空気調和装置。
【請求項２】
意匠パネルの最外周部に、本体部の取り付け面方向に形成され、前記本体部の取り付け面と接触しない非当接リブを設けた請求項１記載の空気調和装置。
【請求項３】
吸込口より本体内部の空調手段へ送り込まれる空気に含まれる塵埃を捕集するフィルターを備え、このフィルターを挿入出させるときのガイドの役目をする取り付け面側ガイドリブおよび意匠面側ガイドリブ設け、これらのガイドリブが意匠パネル装着時に互いに左右対称形状になり、前記意匠パネルの当接リブに設けられた横吸込開口から吸い込まれる空気をフィルター捕集面へ導く流路の１部を形成する構成とした請求項１または２記載の空気調和装置。
【請求項４】
意匠パネルの重量がほぼ均等にかかる４箇所に、取付面方向に長い長四角開口を有した吊り引掛けリブを設け、本体部の前面開口近傍に設けられた爪形状部に前記吊り引掛けリブで吊りかける構成とした請求項１〜３のいずれかに記載の空気調和装置。
【請求項５】
意匠パネルの重量がほぼ均等にかかる４箇所に設けられた吊り引掛けリブ４箇所のうちの１箇所以上を仮固定するための紐で代用する構成とした請求項４記載の空気調和装置。
【請求項６】
紐がフィルターの挿入可動範囲に干渉することを防止するリブまたは格子形状に形成された干渉防止部を設けた請求項５記載の空気調和装置。
【請求項７】
熱交換器を備え、室内の空気を熱交換し温風にして循環させることで室内温度の調和を行なう構成とした請求項１〜６のいずれかに記載の空気調和装置。
【請求項８】
加湿装置を備え、加湿空気を室内に送り込み、その空気を循環して室内湿度の調和を行なう構成とした請求項１〜６のいずれかに記載の空気調和装置。
【発明の詳細な説明】
【技術分野】
【０００１】
本発明は、壁面あるいは天井面に設置し、空気調和装置の内部に空調手段と、前面開口部に意匠パネルを備え、室内の空調を行う空気調和装置に関する。
【背景技術】
【０００２】
従来、この種の空気調和装置の一例として天井面に設置して空調を行なう空気調和装置が知られている（例えば、特許文献１参照）。
【０００３】
以下、その空気調和装置について図９および図１０を参照しながら説明する。
【０００４】
図に示すように、室内側より本体開口部１０２を覆い、本体側吹出口１０６と連通する内側パネル１０３を、パネル外周リブを天井面に当接させ、この内側パネル１０３より大きい外側パネル１０５は、内側パネル１０３にバネまたはネジにより取り付けられている。また、内側パネル１０３と外側パネル１０５は、天井面に平行な隙間ができる構成であって、前記隙間から室内の空気を吸い込む、すなわち吸込口１０７を形成するように配設される。
【特許文献１】特開２００６−２１４６６５号公報
【発明の開示】
【発明が解決しようとする課題】
【０００５】
このような従来の空気調和装置では、意匠パネルが２枚構成となり、意匠パネルを天井面に取り付ける施工の工数がかかり、製品コストが高いという課題がある。
【０００６】
本発明は、このような従来の課題を解決するものであり、製品コストが低減し、しかも、空気調和効率を向上させるとともに、取付状態の良好な意匠パネルを有する空気調和装置を提供することを目的とする。
【課題を解決するための手段】
【０００７】
本発明の空気調和装置は、上記目的を達成するために、内部に空調手段を設け、前面を開口した本体部と、この本体部の前面開口に備え付ける吸込口と吹出口を有した意匠パネルとからなり、前記意匠パネルには、その裏側に外周よりも内側に一周する当接リブを設けるとともに、この当接リブに意匠パネル取り付け面近傍の空気を吸い込み誘引する開口部を１箇所以上設けたものである。
【０００８】
また、他の手段は、意匠パネルの最外周部に、本体部の取り付け面方向に形成され、前記本体部の取り付け面と接触しない非当接リブを設けたものである。
【０００９】
また、他の手段は、吸込口より本体内部の空調手段へ送り込まれる空気に含まれる塵埃を捕集するフィルターを備え、このフィルターを挿入出させるときのガイドの役目をする取り付け面側ガイドリブおよび意匠面側ガイドリブ設け、これらのガイドリブが意匠パネル装着時に互いに左右対称形状になり、前記意匠パネルの当接リブに設けられた横吸込開口から吸い込まれる空気をフィルター捕集面へ導く流路の１部を形成する構成としたものである。
【００１０】
また、他の手段は、意匠パネルの重量がほぼ均等にかかる４箇所に、取付面方向に長い長四角開口を有した吊り引掛けリブを設け、本体部の前面開口近傍に設けられた爪形状部に前記吊り引掛けリブで吊りかける構成としたものである。
【００１１】
また、他の手段は、意匠パネルの重量がほぼ均等にかかる４箇所に設けられた吊り引掛けリブ４箇所のうちの１箇所以上を仮固定するための紐で代用する構成としたものである。
【００１２】
また、他の手段は、紐がフィルターの挿入可動範囲に干渉することを防止するリブまたは格子形状に形成された干渉防止部を設けたものである。
【００１３】
また、他の手段は、熱交換器を備え、室内の空気を熱交換し温風にして循環させることで室内温度の調和を行なう構成としたものである。
【００１４】
また、他の手段は、加湿装置を備え、加湿空気を室内に送り込み、その空気を循環して室内湿度の調和を行なう構成としたものである。
【発明の効果】
【００１５】
本発明によれば、意匠パネルには、その裏側に外周よりも内側に一周する当接リブを設けるとともに、この当接リブに意匠パネル取り付け面近傍の空気を吸い込み誘引する開口部を１箇所以上設けたことにより、意匠パネルを１枚で構成できるため、意匠パネル取りつけ作業工数の低減および製品コストの低減により施工費用、製品費用を安価にできるという効果のある空気調和装置を提供することができる。
【００１６】
また、意匠パネルの最外周部に、本体部の取り付け面方向に形成され、前記本体部の取り付け面と接触しない非当接リブを設けたことにより、取り付け面と意匠パネルとの隙間の不均一を目立ちにくくできるという効果のある空気調和装置を提供することができる。
【００１７】
また、吸込口より本体内部の空調手段へ送り込まれる空気に含まれる塵埃を捕集するフィルターを備え、このフィルターを挿入出させるときのガイドの役目をする取り付け面側ガイドリブおよび意匠面側ガイドリブ設け、これらのガイドリブが意匠パネル装着時に互いに左右対称形状になり、前記意匠パネルの当接リブに設けられた横吸込開口から吸い込まれる空気をフィルター捕集面へ導く流路の１部を形成する構成としたことにより、吸い込み口の数や方向に影響されることがないため、フィルターのサイズを小さくすることも可能となり、フィルター構成枚数増加を防止し、お手入れする捕集面積を小さくすることでお手入れ性を維持または、向上させることができるという効果のある空気調和装置を提供することができる。
【００１８】
また、意匠パネルの重量がほぼ均等にかかる４箇所に、取付面方向に長い長四角開口を有した吊り引掛けリブを設け、本体部の前面開口近傍に設けられた爪形状部に前記吊り引掛けリブで吊りかける構成としたことにより、意匠パネル取り付け作業を行うときの意匠パネルのネジ止め作業が容易に行なえるという効果のある空気調和装置を提供することができる。
【００１９】
また、意匠パネルの重量がほぼ均等にかかる４箇所に設けられた吊り引掛けリブ４箇所のうちの１箇所以上を仮固定するための紐で代用する構成としたことにより、意匠パネルの仮固定姿勢を維持しつつ、本体内部の空間を有効に活用できるという効果のある空気調和装置を提供することができる。
【００２０】
また、紐がフィルターの挿入可動範囲に干渉することを防止するリブまたは格子形状に形成された干渉防止部を設けたことにより、意匠パネル隠蔽部にある紐などが、フィルターの挿入出における不具合の発生防止ができるという効果のある空気調和装置を提供することができる。
【００２１】
また、熱交換器を備え、室内の空気を熱交換し温風にして循環させることで室内温度の調和を行なう構成としたことにより、意匠パネルを１枚で構成できるため、意匠パネル取りつけ作業工数の低減および製品コストの低減により施工費用、製品費用を安価にでき、取り付け面と意匠パネルとの隙間の不均一を目立ちにくくできるという効果のある空気調和装置を提供することができる。
【００２２】
また、熱交換器を備え、室内の空気を熱交換し温風にして循環させることで室内温度の調和を行なう構成としたことにより、意匠パネルを１枚で構成できるため、意匠パネル取りつけ作業工数の低減および製品コストの低減により施工費用、製品費用を安価にでき、取り付け面と意匠パネルとの隙間の不均一を目立ちにくくできるという効果のある空気調和装置を提供することができる。
【発明を実施するための最良の形態】
【００２３】
本発明の請求項１記載の空気調和装置は、意匠パネルには、その裏側に外周よりも内側に一周する当接リブを設けるとともに、この当接リブに意匠パネル取り付け面近傍の空気を吸い込み誘引する開口部を１箇所以上設けたとしたものであり、取り付け面近傍の空気を誘引し空気調和効率向上を１枚の意匠パネルで行えるという作用を有する。
【００２４】
また、請求項２記載の空気調和装置は、意匠パネルの最外周部に、本体部の取り付け面方向に形成され、前記本体部の取り付け面と接触しない非当接リブを設けたものであり、意匠パネルの取り付け面に対し、意図的に隙間を作り出し、取り付け面に影を発生させるという作用を有する。
【００２５】
また、請求項３記載の空気調和装置は、吸込口より本体内部の空調手段へ送り込まれる空気に含まれる塵埃を捕集するフィルターを備え、このフィルターを挿入出させるときのガイドの役目をする取り付け面側ガイドリブおよび意匠面側ガイドリブ設け、これらのガイドリブが意匠パネル装着時に互いに左右対称形状になり、前記意匠パネルの当接リブに設けられた横吸込開口から吸い込まれる空気をフィルター捕集面へ導く流路の１部を形成する構成としたものであり、吸い込み開口が複数であって、かつ吸い込み方向が同一平面方向から出なくてもフィルター１枚構成で粉塵捕集することができる。
【００２６】
また、請求項４記載の空気調和装置は、意匠パネルの重量がほぼ均等にかかる４箇所に、取付面方向に長い長四角開口を有した吊り引掛けリブを設け、本体部の前面開口近傍に設けられた爪形状部に前記吊り引掛けリブで吊りかける構成としたものであり、意匠パネルが仮固定時であっても取り付け面に対して平行姿勢を維持することができる。
【００２７】
また、請求項５記載の空気調和装置は、意匠パネルの重量がほぼ均等にかかる４箇所に設けられた吊り引掛けリブ４箇所のうちの１箇所以上を仮固定するための紐で代用する構成としたものであり、意匠パネルを仮固定するリブが本体内部の構造物と干渉する場合でも紐を代替えすることで４箇所仮固定でき、取り付け面と平行姿勢を維持することができる。
【００２８】
また、請求項６記載の空気調和装置は、紐がフィルターの挿入可動範囲に干渉することを防止するリブまたは格子形状に形成された干渉防止部を設けたものであり、意匠パネルと取り付け面に固定する際や、取り付け後の隠蔽部にある紐がフィルターの挿入出する可動範囲に届いても、前記フィルターの可動範囲に干渉することを防止できる。
【００２９】
また、請求項７記載の空気調和装置は、熱交換器を備え、室内の空気を熱交換し温風にして循環させることで室内温度の調和を行なう構成としたものであり、室内空気の温度の調和をし循環する空気調和装置において、請求項１〜６記載のいずれかに記載の作用を奏する。
【００３０】
また、請求項８記載の空気調和装置は、加湿装置を備え、加湿空気を室内に送り込み、その空気を循環して室内湿度の調和を行なう構成としたものであり、室内空気を加湿して循環する空気調和装置において、請求項１〜６記載のいずれかに記載の作用を奏する。
【００３１】
以下、本発明の実施の形態について、図１〜図８を参照しながら説明する。
【００３２】
（実施の形態１）
図１〜図３に示すように、製品の本体部２の側面に換気部１を設け、前記本体部２の内部には、室内１０の空気を循環させる空調部３と、室内１０の空気を循環させるための室内１０へ空気を送るための吹出口すなわち本体側吹出口７、本体内部の空調部３へ通じる吸込口すなわち本体側吸込口８を設け、前記本体側吸込口８には、室内１０の空気を熱交換し、室内へ温風を送るための熱交換器１２を具備する。本体部２は、天井面９に設けられた埋め込み口１６より天井裏１１に入れ、室内１０と本体部２の内部へと通じる本体開口部１７を室内側より覆うための意匠パネル４が天井面９と当接するように配設される。
【００３３】
そして、空気調和装置の本体開口部１７に具備される意匠パネル４は、本体部２の本体開口部１７に備え付ける構成で、本体側吹出口７と連通する吹出口すなわち意匠パネル側吹出口５と室内１０の空気が通り本体側吸込口８へ通じる吸込口すなわち意匠パネル側吸込口６を有した意匠パネル４であって、意匠パネル４の裏側に意匠パネル外周よりも内側に当接リブ１８を１周させて設け、この当接リブ１８に意匠パネル４取り付け面近傍、すなわち天井面９近傍の空気を吸い込み誘引する開口部１５を１箇所以上設けるとともに、意匠パネル４の最外周部に取り付け面と接触しない、かつ取り付け面方向に非当接リブ１９を設けた構成とする。
【００３４】
また、室内１０の空気に含まれる塵埃を捕集し、本体内部への侵入を防ぐフィルター１３を備え、前記フィルター１３は、意匠パネル４の室内面側に取付外しを行う取手１４が備えられ、前記取手１４を手で引く、または押すことによりフィルター１３が挿入出される。前記フィルター１３の挿入出の際の動きを上下に規制導くガイドのリブを設けた部品で、この部品が意匠パネル４装着時に互いに左右対称形状になり構成される。前記規制するガイドのリブは、意匠パネル４に一体構成で設けられても良い。
【００３５】
上記構成により、取り付け面近傍の空気を誘引し空気調和効率向上を１枚の意匠パネルで行えるため、意匠パネル取りつけ作業工数の低減および製品コストの低減により施工費用、製品費用を安価にできることとなる。
【００３６】
また、意匠パネルの取り付け面に対し、非当接リブによって意図的に隙間を作り出し、取り付け面に影を発生させることで取り付け面と意匠パネルとの隙間の不均一を目立ちにくくすることができることとなる。
【００３７】
（実施の形態２）
図４〜図６に示すように、意匠パネル４に設けられた意匠パネル側吸込口６より本体内部の空調部３へ送り込まれる空気に含まれる塵埃を捕集するフィルター１３を備え、このフィルター１３を挿入出させるときのガイドの役目をする取り付け面ガイドリブ２３および意匠面側ガイドリブ２４を設けたフィルターガイド右２１およびフィルターガイド左２２であって、これらが意匠パネル４装着時に互いに左右対称形状になり、前記フィルターガイド右２１およびフィルターガイド左２２が意匠パネル４裏側に具備される。また前記フィルターガイド右２１および左２２は、フィルター１３の幅に合わせた位置に具備されることで左右の位置規制の役割も果たす。
【００３８】
そして、意匠パネル４裏側の当接リブ１８に設けられた横吸込開口２０からの吸い込まれる空気をフィルター１３捕集面へ導く流路を意匠パネル裏側の面とフィルターガイド右２１およびフィルターガイド左２２の前記横吸込開口２０まで到達するコの字形状部２５を形成する構成の意匠パネル４とする。
【００３９】
上記構成により、吸い込み開口が複数であって、かつ吸い込み方向が同一平面方向からでなくても、フィルター１枚構成で粉塵捕集することができ、吸い込み口の数や方向に影響されることがないため、フィルターのサイズを小さくすることも可能となり、フィルター構成枚数増加を防止し、お手入れする捕集面積を小さくすることで、お手入れ性を維持または向上させることができる。
【００４０】
（実施の形態３）
図７および図８に示すように、意匠パネル４の重量がほぼ均等にかかる４箇所に設けられた取付面方向に長い長四角開口２６を有した吊り引掛けリブ２７を設け、製品開口部近傍に設けられた爪形状部２８に前記吊り引掛けリブ２７で吊りかけることができる意匠パネル４を備える構成とする。前記吊り引掛けリブ２７は、意匠パネル４に一体で設けられても、意匠パネル４に具備されるフィルターガイド右２１および左２２部品に設けられていても作用効果は変わりない。
【００４１】
また、意匠パネル４の重量がほぼ均等にかかる４箇所に設けられた吊り引掛けリブ２７４箇所のうちの１箇所以上を紐２９で代用した意匠パネル４を備える構成とすることができる。
【００４２】
また、意匠パネル４の吊り引掛けリブ２７の代用を目的とした紐２９が、フィルター１３の挿入可動範囲に干渉することを防止するリブまたは格子形状の干渉防止部３０が設けられた意匠パネル４を備える構成とすることができる。
【００４３】
実施の形態３では、１箇所を紐２９で代用した意匠パネル４とする。
【００４４】
また、紐２９側のフィルター１３の挿入出範囲である意匠パネル４裏側に具備されるフィルターガイド左２２に干渉防止部３０を備える構成とする。
【００４５】
上記構成により、意匠パネルが仮固定時であっても取り付け面に対して平行姿勢を維持することができ、意匠パネル取り付け作業を行うときの意匠パネルのネジ止め作業が容易に行なうことができる。
【００４６】
また、意匠パネルを仮固定する吊り引掛けリブが本体内部の構造物と干渉する場合でも紐を代替えすることで４箇所仮固定により、取り付け面と平行姿勢を維持することができ、意匠パネルの仮固定姿勢を維持しつつ、本体内部の空間を有効に活用できることとなる。
【００４７】
また、意匠パネルと取り付け面に固定する際や、取り付け後の隠蔽部にある紐がフィルターの挿入出する可動範囲に届いても、前記フィルターの可動範囲に干渉することを防止でき、意匠パネル隠蔽部にある紐などが、フィルターの挿入出における不具合の発生防止ができることとなる。
【産業上の利用可能性】
【００４８】
天井または壁面に取り付けた空気調和装置であって、室内の空気の塵埃捕集、冷暖空調、加湿除湿を目的に使用する機器を対象に適用できる。
【図面の簡単な説明】
【００４９】
【図１】本発明の実施の形態１の空気調和装置の設置状態を示す概略断面図
【図２】同空気調和装置の構成を示す下方斜視図
【図３】同空気調和装置の構成を示す上方斜視図
【図４】本発明の実施の形態２の空気調和装置の構成を示す斜視図
【図５】同空気調和装置の要部断面図
【図６】同要部の拡大断面図
【図７】本発明の実施の形態３の空気調和装置の構成を示す斜視図
【図８】同空気調和装置の設置時の要部断面図
【図９】従来の空気調和装置の構成を示す斜視図
【図１０】同空気調和装置の設置状態を示す側面図
【符号の説明】
【００５０】
２    本体部
３    空調部
４    意匠パネル
５    意匠パネル側吹出口
６    意匠パネル側吸込口
１２  熱交換器
１３  フィルター
１５  開口部
１７  本体開口部
１８  当接リブ
１９  非当接リブ
２０  横吸込開口
２２  フィルターガイド左
２３  取り付け面ガイドリブ
２４  意匠面側ガイドリブ
２６  長四角開口
２７  吊り引掛けリブ
２８  爪形状部
２９  紐
【図１】
0004784582.tif 000002
【図２】
0004784582.tif 000003
【図３】
0004784582.tif 000004
【図４】
0004784582.tif 000005
【図５】
0004784582.tif 000006
【図６】
0004784582.tif 000007
【図７】
0004784582.tif 000008
【図８】
0004784582.tif 000009
【図９】
0004784582.tif 000010
【図１０】
0004784582.tif 000011